(57)【要約】【課題】特に複数人に、特定、不特定の時期に伝達するメッセージを、長期的に亘って作成する際の利便なシステムを提供する。【解決手段】伝達者情報を登録する手段と、受領者のパスワードを記憶する手段と、個人情報の対応が認定された場合にはアクセスを許可する手段と、メッセージを日別に入力する手段と、メッセージを伝達しようとする時期を予約する手段と、メッセージを受ける者の情報を入力する手段と、伝達希望メッセージを受領者情報と共に一覧的に表示する手段と、伝達希望メッセージを受領者情報と関連付けて登録する手段と、伝達時期と受領者情報とが関連付けられたリストを作成する手段と、伝達希望時期以降のパスワードを用いたアクセスにより伝達を受ける者宛の内容に限定された形式で一覧的に表示する手段と、一覧の中から任意のメッセージが選択されたとき選択されたメッセージを表示する手段とを備えた。【選択図】図１
2008097538.tif 000002
【特許請求の範囲】
【請求項１】
サーバー上に設けられ所定のデータを蓄積するデータ蓄積手段に、ネットワークを介してアクセスを行ない、該ネットワークを介して行なわれるメッセージについての伝達を適時行なうメッセージ適時伝達システムであって、
伝達を行なう者についての情報を、ネットワーク上で特定可能な個人情報と共に予め登録する第１の記憶手段と、
伝達を受ける者をネットワーク上で認識可能なパスワードを記憶する第２の記憶手段と、
前記ネットワークを介したアクセスがあったとき、前記個人情報の認証を行ない、前記第１の記憶手段に登録された個人情報の少なくとも一部との対応が認定された場合には、前記ネットワークを介した前記データ蓄積手段へのアクセスを許可する許可手段と、
前記許可手段による許可を受けたアクセス後に入力可能とされる情報であって、複数のメッセージに関する情報を日別に入力するメッセージ情報入力手段と、
所定の指示に基づいて、前記メッセージ情報入力手段に情報が入力される任意のメッセージに対して、メッセージを伝達しようとする１以上の時期を伝達希望時期として予約する時期予約手段と、
該時期予約手段により予約される各伝達希望メッセージにつき、メッセージを受ける者が誰であるかを区別する情報である受領者情報を入力する入力手段と、
前記時期予約手段により予約された伝達希望メッセージに関する情報を、伝達希望メッセージ毎の前記受領者情報と共に、一覧的に画面表示する一覧画面表示手段と、
前記時期予約手段により予約された伝達希望メッセージに関する情報を、伝達希望メッセージ毎の前記受領者情報と関連付けて、前記データ蓄積手段に登録するメッセージ登録手段と、
該メッセージ登録手段により登録された内容に基づいて、前記伝達希望メッセージについての伝達時期と前記受領者情報とが関連付けられたリストを作成するリスト作成手段と、
前記時期予約手段で予約された前記伝達希望時期以降の前記第２の記憶手段に記憶されたパスワードを用いた前記ネットワークを介したアクセスにより、前記リスト内の伝達希望メッセージについての情報を、各伝達希望メッセージの伝達を受ける者が当人宛の内容に限定された形式で、一覧的に画面表示する一覧表示手段と、
該一覧表示手段により表示された画面上で、前記伝達希望メッセージの一覧の中から任意のメッセージが選択されたとき、該選択されたメッセージを受領者へのメッセージとして表示するメッセージ表示手段とを備えたメッセージ適時伝達システム。
【発明の詳細な説明】
【技術分野】
【０００１】
本発明は、メッセージ適時伝達システムに関し、詳しくは、サーバー上に設けられた所定のデータを蓄積するデータ蓄積手段にネットワークを介してアクセスを行なうことで、データの蓄積を行なうと共に、当該データの閲覧を可能にする、ネットワークを介して行なわれるメッセージ適時伝達システムに関する。
【背景技術】
【０００２】
近年、ネットワークを用いた情報提供技術の発展に伴い、ネットワーク上でメッセージを作成して、これを特定の個人等に伝達するシステムが実用化されている。こうしたシステムは、インターネット等のネットワーク上にＩＰアドレス等によって特定されるサーバーを用意し、そこに伝達しようとするメッセージのデータを蓄積している。
【０００３】
メッセージを他人に伝達しようとするものは、このサーバーが存在するサイトにアクセスし、メッセージを作成する。その上で、メッセージの送付時期を、誕生日等の特定の日時や死亡時等の不特定の時期により予約すると共に、メッセージの送付先をサーバー上の特定の領域に書き込む。
【０００４】
このサイトを運用する主体は、メッセージの送付日時を確認してから、指定されたメッセージを書き込まれた送付先に送る。これで、所望のメッセージが特定の相手に伝達されることになる。かかるシステムは、死亡時、恋人との別れ、転居等の別離時、卒業、就職、成人等の成長時、又は誕生、交際、結婚等の記念時等に用いられている。
【特許文献１】特開２００４−２０６１９１号公報
【発明の開示】
【発明が解決しようとする課題】
【０００５】
しかるに、このようなネットワークを介したメッセージ伝達のシステムにおいては、贈り主は１通のメッセージを送るだけであり、ある期間の間に連続する又は関連する複数のメッセージ等を送りたい場合は、その都度贈り主が利用申請しなければならなかった。
【０００６】
多人数に、確定された時期又は不確定な時期に贈るメッセージを、長期間継続的且つ反復的に複数作成する際の様々な問題を解決する技術的インフラストラクチャは、未だ提案されていない。本発明のメッセージ適時伝達システムは、こうした問題を解決し、特に複数人に、特定、不特定の時期に伝達するメッセージを、長期に亘って作成する際の利便なシステムを提供することを目的とする。
【課題を解決するための手段】
【０００７】
上記課題を解決する本発明のメッセージ適時伝達システムは、サーバー上に設けられ所定のデータを蓄積するデータ蓄積手段に、ネットワークを介してアクセスを行ない、該ネットワークを介して行なわれるメッセージについての伝達を適時行なうメッセージ適時伝達システムであって、伝達を行なう者についての情報を、ネットワーク上で特定可能な個人情報と共に予め登録する第１の記憶手段と、伝達を受ける者をネットワーク上で認識可能なパスワードを記憶する第２の記憶手段と、前記ネットワークを介したアクセスがあったとき、前記個人情報の認証を行ない、前記第１の記憶手段に登録された個人情報の少なくとも一部との対応が認定された場合には、前記ネットワークを介した前記データ蓄積手段へのアクセスを許可する許可手段と、前記許可手段による許可を受けたアクセス後に入力可能とされる情報であって、複数のメッセージに関する情報を日別に入力するメッセージ情報入力手段と、所定の指示に基づいて、前記メッセージ情報入力手段に情報が入力される任意のメッセージに対して、メッセージを伝達しようとする１以上の時期を伝達希望時期として予約する時期予約手段と、該時期予約手段により予約される各伝達希望メッセージにつき、メッセージを受ける者が誰であるかを区別する情報である受領者情報を入力する入力手段と、前記時期予約手段により予約された伝達希望メッセージに関する情報を、伝達希望メッセージ毎の前記受領者情報と共に、一覧的に画面表示する一覧画面表示手段と、前記時期予約手段により予約された伝達希望メッセージに関する情報を、伝達希望メッセージ毎の前記受領者情報と関連付けて、前記データ蓄積手段に登録するメッセージ登録手段と、該メッセージ登録手段により登録された内容に基づいて、前記伝達希望メッセージについての伝達時期と前記受領者情報とが関連付けられたリストを作成するリスト作成手段と、前記時期予約手段で予約された前記伝達希望時期以降の前記第２の記憶手段に記憶されたパスワードを用いた前記ネットワークを介したアクセスにより、前記リスト内の伝達希望メッセージについての情報を、各伝達希望メッセージの伝達を受ける者が当人宛の内容に限定された形式で、一覧的に画面表示する一覧表示手段と、該一覧表示手段により表示された画面上で、前記伝達希望メッセージの一覧の中から任意のメッセージが選択されたとき、該選択されたメッセージを受領者へのメッセージとして表示するメッセージ表示手段とを備えたことを要旨としている。
【発明の効果】
【０００８】
かかるメッセージ適時伝達の手法によれば、メッセージの伝達を行なおうとする者は、ネットワークを介してデータ蓄積手段にアクセスする際、予め登録した個人情報との対応が確認されてからデータ蓄積手段へのアクセスが許可され、アクセスの許可を受けた者がデータ蓄積手段に伝達を行なおうとするメッセージを伝達希望メッセージとして登録するためには、個人情報との対応の認定が必要となることから、悪戯等で、データ蓄積手段に伝達希望メッセージが登録されることがない。
【０００９】
一方、伝達を受ける者は、予め登録されたパスワードを用いることで、ネットワークを介して、登録された伝達希望メッセージを参照することができる。従って、伝達を受けた者だけが、登録された伝達希望メッセージを参照することができ、伝達を行なおうとする者が望んでいるメッセージを的確に伝達することができる。また、登録された伝達希望メッセージを参照するために、パスワードが必要となることから、無関係な者に、プライバシーを公開することがない。
【００１０】
更に、本発明に係るメッセージ適時伝達システムにおいては、メッセージの登録を次の構成で対応する。即ち、許可を受けたアクセス後に入力可能とされる情報であって、複数のメッセージに関する情報を日別に入力するメッセージ情報入力手段を設け、このメッセージ情報入力手段に情報が入力される任意のメッセージに対して、所定の指示に基づいて、１以上の時期を伝達希望時期として予約すると共に、該予約される各伝達希望メッセージにつき、メッセージを受ける者が誰であるかを区別する情報である受領者情報を入力するものとし、こうして予約された伝達希望メッセージに関する情報を、伝達希望メッセージ毎の前記受領者情報と共に、一覧的に画面表示し、予約された伝達希望メッセージに関する情報を、伝達希望メッセージ毎の前記受領者情報と関連付けて、データ蓄積手段に登録する手段を設ける。
【００１１】
このような構成のため、メッセージを登録しようとする者は、メッセージ情報入力手段に入力する任意のメッセージに対して伝達希望時期を予約したとき、これを一覧的に参照することができ、どのようなメッセージを予約したかを容易に確認することができる。
【００１２】
ここで一覧的としたのは、全てのメッセージが完全な一覧表として表示される必要はなく、メッセージの伝達時期や受領者別に、一覧表として表示されても良いし、表示画面や印刷用紙の大きさによっては複数の画面や印刷用紙に分かれて表示されても良いからである。
【００１３】
もとより、１画面、１印刷用紙に入りきらないときには、文字の大きさ等を自動的に調整して、完全な一覧表として表示することもできる。一覧的な表示は、ディスプレイ等の画面上に行なっても良いし、印刷によっても良い。
【００１４】
また、上記のメッセージ適時伝達の手法では、伝達しようとする者は、伝達を行なおうとする人宛に登録した伝達希望メッセージについての情報を参照（例えば一覧的表示により参照）することができるが、更にネットワークを介して、直接これらのメッセージの伝達を負担するシステムを構成することも可能である。
【００１５】
即ち、メッセージ登録手段により登録された内容に基づいて、前記伝達希望メッセージについての伝達時期と前記受領者情報とが関連付けられたリストを作成し、パスワードを用いたアクセスに対して、前記リスト内の伝達希望メッセージについての情報を、各伝達希望メッセージの伝達を受ける者が当人宛の内容に限定された形式で、一覧的に画面表示し、表示された画面上で伝達希望メッセージの中から任意のメッセージが選択されたとき、該選択されたメッセージを受領者へのメッセージとして表示するのである。
【発明を実施するための最良の形態】
【００１６】
以下本発明の実施の形態を実施例に基づき説明する。図１は、本発明のメッセージ適時伝達システムの実施態様の一例であるメッセージサービスシステムを実現するためのハードウエアの構成を示す。
【００１７】
ここにメッセージサービスシステムとは、特定の他人へ何らかのメッセージを伝達しようとする者（以下、伝達者という）が、伝達を希望するメッセージをネットワーク上に予め登録しておき、この登録の旨を知った他人がネットワーク上にアクセスすることにより、登録されたメッセージの中から当人宛のメッセージが選定され、以て、当人が当該選定されたメッセージを閲覧することを可能にするシステムをいう。
【００１８】
なお、通常の社会習慣では、死亡に伴う遺族等への言葉は、遺言として認識されるが、本願発明の説明においては、この遺言を含め、死亡時、別離時、成長時、又は記念時等に伝達される情報を、広くメッセージと呼ぶ。
【００１９】
結婚祝の場合を例にとると、結婚祝として贈られるメッセージは、通常は、結婚の旨を知らされた後に１通だけ作成される。これに対し、メッセージサービスシステムは、贈るべきメッセージに関し、伝達する贈り主の意思に基づく継続的、反復的作成材料を提供する。
【００２０】
メッセージサービスシステムを実現するためのハードウエアは、図１に示すように、伝達者がアクセスを行なう伝達者端末１と、伝達者からメッセージを贈られる他人（以下、受領者という）がアクセスを行なう受領者端末２と、伝達メッセージについての情報の提供を含むメッセージサービスの提供者（以下、サービス提供者という）が所有するサーバー３とから構成されている。
【００２１】
例えば伝達者端末１及び受領者端末２は、それぞれ、ＣＰＵ、ＲＡＭ、及びＲＯＭ等からなるコンピューター、ハードディスク、ディスプレイ、キーボード、マウス等を備えるデスクトップパソコン等である。
【００２２】
伝達者端末１及び受領者端末２は、モデム（図示せず）を介して公衆通信回線４に接続されている。この通信回線４を介して、伝達者端末１及び受領者端末２を外部のネットワーク５に接続することができる。もとより、専用回線を用いて、直接ネットワーク５に接続されるものとしても良い。なお、こうしたネットワークとしては、インターネット等を考えることができる。
【００２３】
サーバー３は、伝達者端末１及び受領者端末２からの要求を、ネットワーク５を通じて受信し、この要求を処理するコンピューターである。このコンピューターは、各種演算処理を実行するためのＣＰＵ６を中心に、バス７により相互に接続されたＲＯＭ８、ＲＡＭ９、メモリーコントローラー１０、ディスプレイコントローラー１１、ネットワークインタフェース１２、記憶装置１３、キーボードインタフェース１４、プリンターインタフェース１５等、以下に説明する各ユニットを備えている。
【００２４】
ＲＯＭ８は、ＣＰＵ６で各種演算処理を実行するのに必要なプログラムや参照データ等を予め格納しているメモリーであり、伝達者に関する情報の登録や受領者に伝達するメッセージの登録等の実行に関するプログラムを格納する。
【００２５】
ＲＡＭ９は、ＣＰＵ６で各種演算処理を実行するのに必要な各種データを一時的に格納するためのメモリーである。メモリーコントローラー１０は、記憶装置１３への信号出力を制御する。
【００２６】
記憶装置１３には、必要に応じてＲＡＭ９にロードされて実行される各種プログラムや、外部から入力された伝達者ないし受領者に関するデータ等が記憶されている。勿論、ＲＯＭ８やＣＤ−ＲＯＭ等（図示せず）に、上記と同様な各種プログラムやデータをロードすることにより、コンピューターに実行させることも可能である。また、記憶装置１３には、様々な情報が蓄積される。即ち、この記憶装置１３は、データ蓄積手段や第１、第２の記憶手段としても機能する。
【００２７】
ネットワークインタフェース１２は、外部からのデータの入出力を司る制御部であり、サーバー３は、このネットワークインタフェース１２を介して外部のネットワーク５に接続されている。
【００２８】
通常、サーバー３は、専用回線を用いて直接ネットワーク５に接続されている。従って、ネットワークインタフェース１２も、ネットワーク５において用いられるプロトコルに対応したＮＩＣとして実現されている。
【００２９】
伝達者端末１及び受領者端末２も、ネットワーク５に接続されており、いずれの端末１、２、サーバー３も、ネットワーク５上で、それぞれを特定するＩＰアドレスが付与されている。
【００３０】
従って、こうしたＩＰアドレスを用いて、各端末１、２からサーバー３にアクセスし、各端末１、２とサーバー３との間でデータの処理や送受信を行なうことが可能となる。なお、サーバー３へのアクセスは、全ての端末に対して許可されているが、サーバー３の中に用意された各種ファイル及びデータについては、パスワード等が設けられており、所定の条件を満たす者だけが、アクセスできる仕組みとなっている。
【００３１】
サーバー３は、パスワードのないアクセスに対しては、サービスの概要等の情報は開示するが、種々の登録処理等は、パスワード等によりアクセス権があることが承認された者からのアクセスにのみ応答して、実行する。
【００３２】
具体的には、サーバー３は、伝達者端末１からの指示に基づいて登録処理を実行するとともに、メッセージ指定処理を実行し、伝達管理処理を実行する。キーボードインタフェース１４は、キーボード１６からの信号の入出力を司る。ディスプレイコントローラー１１は、カラー表示可能な表示装置としてのディスプレイ１７への信号出力を制御し、プリンターインタフェース１５は、プリンター１８へのデータの出力を制御する。
【００３３】
次に、以上のハードウエアを用いて実行されるメッセージサービスシステムの内容について説明する。図２は、メッセージサービスシステムの内容を示すブロック図である。まず、伝達者は、自己のコンピューター（この例では伝達者端末１）を用いて、サービス提供者のサーバー３にアクセスし、会員登録を行なう。
【００３４】
会員登録の完了後、サービス提供者は、サーバー３内に、会員登録された伝達者（以下、登録者という）用のサイトを開設するとともに、このサイトへの登録者によるアクセスを可能とする登録者ＩＤ及び登録者パスワードを発行し、この登録者ＩＤ及び登録者パスワードを登録者に通知する。
【００３５】
この通知の方法としては、会員登録の完了後に、サーバー３からの送信に基づいて、登録完了の伝達者端末１のディスプレイに表示する方法や、郵便や電子メール等を用いて通知する方法等が考えられる。
【００３６】
登録者ＩＤ及び登録者パスワードを通知された登録者は、伝達者端末１を用いて再度サーバー３にアクセスし、登録者ＩＤ及び登録者パスワードを入力する。この入力により、登録者用のＷｅｂサイトを訪問するだけでなく、各種の登録処理を行なうことが可能となる。
【００３７】
登録者用のＷｅｂサイトには、メッセージ情報入力手段が、メッセージの情報を入力可能な形態で準備されている。登録者は、入力するメッセージに対してメッセージを伝達する時期及び受領者を選択し、サイト上に登録する。
【００３８】
メッセージの登録を完了した後、サービス提供者は、伝達時期が来た場合には、受領者への連絡をサービス提供者が代行し、サービス提供者が、受領者に、受領者ＩＤ及び受領者パスワードの情報を、電子メールやＦＡＸ等で通知する。
【００３９】
このような通知が伝達されたことによって事情を把握した受領者は、自己のコンピューター、即ちこの例では受領者端末２を用いてサーバー３にアクセスし、受領者ＩＤ及び受領者パスワードを入力する。
【００４０】
この入力により、登録者用のサイトにおいて、登録者によって選択されたメッセージのリスト（以下、メッセージリストという）を見ることができる。受領者は、メッセージリストに記載されたメッセージの中から詳細に閲覧しようとする所望のメッセージを選択し、メッセージを詳細に閲覧する。
【００４１】
以上、メッセージサービスシステムの内容について説明した。次に、このようなメッセージサービスシステムを実現する際に、サーバー３により実行される処理である、登録処理、メッセージ指定処理及び伝達管理処理について説明する。
【００４２】
登録処理、メッセージ指定処理、伝達管理処理は、図２における（１）から（６）までの作業を、サーバー３内のコンピューターの処理によって行なうものである。従って、登録処理、メッセージ指定処理及び伝達管理処理は、この順に実行される。
【００４３】
登録処理の内容及び処理手順を図３の登録処理フローチャートに示す。この登録処理は、登録を行なおうとする者が、まずサーバー３に接続し、会員登録を選択したときに起動される。
【００４４】
即ち、サーバー３が、ネットワーク５を通じ、会員登録を行なう旨の信号を受け取ったときに起動されるのである。以下、上記信号を伝達者端末１から受け取ったものとして説明する。
【００４５】
図３に示すように、本登録処理が起動されると、まず、会員登録処理を行なう（ステップＳ１）。会員登録処理は、メッセージサービスシステムを利用しようとする者を会員として登録する処理であり、その内容は、以下の通りである。
【００４６】
まず、登録申込書の書式データを、ネットワーク５を介して伝達者端末１に送信する。この後、氏名等の伝達者の個人情報を受信したときに、登録者ＩＤ及び登録者パスワードを決定し、この登録者ＩＤ及び登録者パスワードを伝達者端末１に送信する。登録者ＩＤ及び登録者パスワードは、受信した個人情報とリンクさせた形態でサーバー３内に記憶される。
【００４７】
会員登録処理の終了後、登録者ＩＤ及び登録者パスワードが入力されたか否かを判断し（ステップＳ２）、登録者ＩＤ及び登録者パスワードが入力されたと判断した場合に、受領者登録処理、メッセージ処理を行なう（ステップＳ３、ステップＳ４）。
【００４８】
なお、会員登録処理の後は、一旦サーバー３との接続を切り、登録者ＩＤ及び登録者パスワードを、電子メール等で送付し、その後、再度サーバー３との接続がなされるようにすることも現実的である。
【００４９】
また、本実施例では、ステップＳ２において、正しい登録者ＩＤ及び登録者パスワードが所定回数連続して入力されなかったと判断した場合には、登録処理を終了する構成とし、伝達メッセージの内容等が、本人以外の他人によって覗き見されることを防止している。
【００５０】
受領者登録処理（ステップＳ３）は、受領者に関し、メッセージを贈る内容に関する情報を登録する処理である。この処理が起動されると、まず、受領者の登録フォーマットのデータを伝達者端末１に送信する。
【００５１】
この結果、伝達者端末１には、受領者登録のための登録フォーマットが表示される。この登録フォーマットには、受領者の氏名や住所等の他、メッセージの伝達希望時期を記載する欄が設けられている。
【００５２】
これらの項目が記入された登録フォーマットのデータを受信したときに、受信データに基づいて受領者リストを作成し、このリストを記憶する。なお、本実施例では、登録者自身が受領者となる可能性もあることを考慮し、会員登録処理（ステップＳ１）により既に登録された登録者の氏名や住所、メールアドレス等を予め各欄に記載した登録フォーマットが、伝達者端末１に送信される。従って、氏名や住所等の二度に亘る入力を回避し、登録者の操作負担を軽減している。また、受領者の登録フォーマットは、複数の受領者を入力可能な形態とされている。
【００５３】
メッセージ登録処理は、登録者が伝達を希望するメッセージを登録する処理であり、その内容は以下の通りである。サーバー３は、まず、メッセージ作成用のページを伝達者端末１に送信する。
【００５４】
この結果、伝達者端末１のディスプレイには、メッセージのタイトルや本文の入力欄が設けられたメッセージ作成用ページが、各入力欄に入力可能に表示される。この後、メッセージ作成用ページの中から所定の登録ボタンが選択された旨を受信したときに、入力された情報に基づいてメッセージリストを作成し、記憶する。
【００５５】
なお、図３の登録処理フローチャートにおいて、受領者登録処理、メッセージ登録処理を実行する順序を逆にしても差し支えない。次に、受領者登録処理及びメッセージ登録処理の双方が完了したか否かを判断する処理を行ない（ステップＳ５）、双方が完了していないと判断した場合には、未だ完了していない先の処理に戻って、上記の処理を繰り返す。
【００５６】
双方の処理が完了したと判断した場合には、メッセージカード作成処理を行なう（ステップＳ６）。メッセージカード作成処理は、メッセージカードを作成する処理であり、その内容は以下の通りである。
【００５７】
まず、受領者ＩＤ乃至受領者パスワードを決定し、決定された受領者ＩＤ及び受領者パスワードをメッセージカードに印刷する。なお、本実施例では、受領者が複数ある場合には、受領者毎に異なったＩＤ及びパスワードとなるように、受領者ＩＤ及び受領者パスワードを決定する。
【００５８】
勿論、受領者ＩＤ、受領者パスワードのうちのいずれか一方のみが異なるように、受領者ＩＤ及び受領者パスワードを決定してもよい。また、本実施例では、決定された受領者パスワードを登録者パスワードとリンクさせて記憶する。
【００５９】
このように２つのパスワードをリンクすることにより、登録者用のサイトに格納されたデータへの受領者によるアクセスが許容される。カード作成処理が終了したときに、本登録処理を終了する。
【００６０】
なお、本登録処理において、受領者のメールアドレスの情報を登録する処理を設けると共に、この登録に基づき、決定された受領者ＩＤ及び受領者パスワード等を、電子メールで受領者端末２に送信する処理を付加してもよい。
【００６１】
このように、カード作成処理により作成されたメッセージカードは、そのまま郵送されたり、ボトル等に封入された状態で宅配されたりすることによって、受領者に知らされる。
【００６２】
このようにして受領者ＩＤ及び受領者パスワードを取得した受領者は、指定されたＵＲＬへアクセスして、受領者ＩＤ及び受領者パスワードを使用して、自分宛のメッセージを閲覧できるようになる。
【００６３】
また、メッセージの伝達希望時期を選択するのに、本メッセージサービスシステムの契約更新時に連絡がとれなかった場合を指定することで、当該メッセージをダイイングメッセージとして利用することができる。
【００６４】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００６５】
【図１】本発明に係るメッセージ適時伝達システムを実現するためのハードウエアの構成を示す説明図である。
【図２】本発明に係るメッセージ適時伝達システムの内容を示すブロック図である。
【図３】本発明に係る登録処理の内容を示すフローチャートである。
【符号の説明】
【００６６】
１    伝達者端末
２    受領者端末
３    サーバー
４    公衆通信回線
５    ネットワーク
６    ＣＰＵ
７    バス
８    ＲＯＭ
９    ＲＡＭ
１０    メモリーコントローラー
１１    ディスプレイコントローラー
１２    ネットワークインタフェース
１３    記憶装置
１４    キーボードインタフェース
１５    プリンターインタフェース
１６    キーボード
１７    ディスプレイ
１８    プリンター
【図１】
2008097538.tif 000003
【図２】
2008097538.tif 000004
【図３】
2008097538.tif 000005